(57)【要約】【課題】映像や音響に係る電気機器を所望の位置に容易に設置できるとともに、電気機器用の配線ケーブルも露出することがない化粧壁構造を提供する。【解決手段】壁面１に固定され、水平方向に延在する支持部材３に、機器支持部材１０，１５が係合されるので、この機器支持部材１０，１５の係合位置を水平方向において調整でき、さらに、支持部材３は上下に所定間隔で複数壁面１に固定されているので、機器支持部材１０，１５の係合位置を上下において調整できる。したがって、機器支持部材１０，１５を所望の位置に配置できるので、この機器支持部材１０，１５によって電気機器を支持することによって電気機器を壁側の所望の位置に容易に設置できる。【選択図】        図１
2004211526.tif 000002
【特許請求の範囲】
【請求項１】
壁面に水平方向に延在する複数の支持部材が、上下に所定間隔を隔てて固定され、
上下に隣り合う前記支持部材間に、内部に水平方向に延在する空洞部を備えた化粧面材が配置されるとともに、この化粧面材が前記上下の支持部材によって支持され、
前記支持部材に、映像や音響に係る電気機器を支持するための機器支持部材が係合され、
前記化粧面材の空洞部に前記電気機器用の配線ケーブルが挿入されていることを特徴とする化粧壁構造。
【請求項２】
壁面に水平方向に延在する複数の支持部材が、上下に所定間隔を隔てて固定され、
上下に隣り合う前記支持部材間に、内部に水平方向に延在する空洞部を備えた化粧面材が配置されるとともに、この化粧面材が前記上下の支持部材によって支持され、
前記支持部材に、映像や音響に係る電気機器を支持するための機器支持部材が係合され、
前記化粧面材と壁面との間には、隙間が設けられ、この隙間に前記電気機器用の配線ケーブルが挿入されていることを特徴とする化粧壁構造。
【請求項３】
壁面に水平方向に延在する複数の支持部材が、上下に所定間隔を隔てて固定され、
上下に隣り合う前記支持部材間に、内部に水平方向に延在する空洞部を備えた化粧面材が配置されるとともに、この化粧面材が前記上下の支持部材によって支持され、
前記支持部材に、映像や音響に係る電気機器を支持するための機器支持部材が係合され、
前記支持部材には、水平方向に延在する溝部が形成されており、この溝部に前記電気機器用の配線ケーブルが挿入されていることを特徴とする化粧壁構造。
【請求項４】
請求項１〜３のいずれか一項に記載の化粧壁構造において、
前記支持部材の少なくとも一方の端部側には、上下に所定間隔を隔てて固定された支持部材の端部どうしを連結する縦連結部材が設けられ、この縦連結部材内に、前記電気機器用の配線ケーブルが挿入されていることを特徴とする化粧壁構造。
【請求項５】
請求項１〜４のいずれか一項に記載の化粧壁構造において、
前記機器支持部材は、前記電気機器を載置する載置板であり、この載置板の基端部が前記支持部材に係合されていることを特徴とする化粧壁構造。
【請求項６】
請求項１〜４のいずれか一項に記載の化粧壁構造において、
前記機器支持部材は、前記電気機器を吊り下げるためのフックであり、このフックの基端部が前記支持部材に係合されていることを特徴とする化粧壁構造。
【請求項７】
上下に複数配置され、内部に水平方向に延在する空洞部を備えた化粧面材を支持して壁面に取付ける水平方向に延在する支持部材であって、
壁面に固定される固定部と、この固定部から前記壁面と直交する方向に立ち上がり、その先端部または、この先端部と前記固定部との間にある中間部によって、前記化粧面材を支持する立上り部とを備え、
この立上り部には、物品を支持する物品支持部材が直接または間接的に係合される被係合部が形成されていることを特徴とする支持部材。
【請求項８】
請求項７に記載の支持部材を備えた化粧壁構造であって、
壁面に前記複数の支持部材が、上下に所定間隔を隔てて固定され、
上下に隣り合う前記支持部材間に、内部に水平方向に延在する空洞部を備えた化粧面材が配置されるとともに、この化粧面材が前記立上り部の中間部によって支持され、
前記立上り部の被係合部に、物品を支持する物品支持部材が係合されていることを特徴とする化粧壁構造。
【請求項９】
請求項７に記載の支持部材を備えた化粧壁構造であって、
壁面に前記複数の支持部材が、上下に所定間隔を隔てて固定され、
上下に隣り合う前記支持部材間に、内部に水平方向に延在する空洞部を備えた化粧面材が配置されるとともに、この化粧面材が前記立上り部の先端部によって支持され、
前記立上り部の被係合部に、この立上り部の先端部とによって前記化粧面材を支持する化粧面材支持部材が係合されており、この化粧面材支持部材に、物品を支持する物品支持部材が係合されていることを特徴とする化粧壁構造。
【請求項１０】
請求項１〜６、請求項８、９のいずれか一項に記載の化粧壁構造において、
前記化粧面材は、セルロース系微粉粒と樹脂とを混合して押出成形した板状のものであることを特徴とする化粧壁構造。
【発明の詳細な説明】
【０００１】
【発明の属する技術分野】
本発明は、住宅などの建物の壁面に設けられる化粧壁の構造およびこの化粧構造が備える支持部材に関するものである。
【０００２】
【背景の技術】
住宅等の建物の壁面に棚板を設ける場合、凹所の奥側の壁面に、上下方向に延在させてレールを設け、このレールに前側に突出する棚受アームを取り付け、この棚受アームに棚板を支持させている技術が知られている（例えば、特許文献１参照。）。
【０００３】
【特許文献１】
特開平９−８８３２７号公報
【０００４】
【発明が解決しようとする課題】
ところで、上記公報に記載の技術では、上下に延在するレールに棚受アームを取り付けているので、棚板の位置は、棚受アームの取付位置を上下に調整することによって、上下に調整できるが、左右には調整は困難である。したがって、棚板に載置する載置物は上下にしか配置できず、左右方向の所望の位置には配置するのは困難である。
例えば、映像や音響に係る電気機器を壁側に配置する場合、スピーカは両側に配置し、アンプ、デッキ、チューナ等は中央側に配置したいという要望や、これらアンプ、デッキ、チューナ等を上下に重ねることなく、左右方向の所望の位置に設置したいという要望があるが、上記公報に記載の技術ではこの要望に応えるのは困難である。
また、上述した電気機器を壁側に配置した場合、その配線ケーブルが露出してしまうので、見映えがよくないという問題もある。
さらに、電気機器を壁側に配置する場合、その壁を他の壁と区別するために、化粧壁を設けたいという要望もある。
【０００５】
本発明は上記事情に鑑みてなされたもので、映像や音響に係る電気機器やその他の物品を壁側の所望の位置に容易に設置でき、また、電気機器用の配線ケーブルも露出することがない化粧壁構造およびこの化粧壁構造における化粧面材を支持する支持部材を提供することを目的としている。
【０００６】
【課題を解決するための手段】
上記目的を達成するために、請求項１に記載の発明は、例えば図１〜図５に示すように、壁面１に水平方向に延在する複数の支持部材３が、上下に所定間隔を隔てて固定され、
上下に隣り合う前記支持部材３，３間に、内部に水平方向に延在する空洞部８ａを備えた化粧面材８が配置されるとともに、この化粧面材８が前記上下の支持部材３，３によって支持され、
前記支持部材３に、映像や音響に係る電気機器を支持するための機器支持部材（載置板１０、フック１５）が係合され、
前記化粧面材８の空洞部８ａに前記電気機器用の配線ケーブル１７が挿入されていることを特徴とする。
【０００７】
請求項１に記載の発明によれば、壁面１に固定され、水平方向に延在する支持部材３に、機器支持部材１０，１５が係合されるので、この機器支持部材１０，１５の係合位置を水平方向において調整でき、さらに、支持部材３は上下に所定間隔で複数壁面１に固定されているので、機器支持部材１０，１５の係合位置を上下において調整できる。したがって、機器支持部材１０，１５を所望の位置に配置できるので、この機器支持部材１０，１５によって電気機器を支持することによって電気機器を壁側の所望の位置に容易に設置できる。
また、化粧面材８の空洞部８ａに電気機器用の配線ケーブル１７が挿入されているので、配線ケーブル１７も露出することがなく、見映えもよくなる。
さらに、上下に隣り合う支持部材３，３間に化粧面材８が配置されるとともに、この化粧面材８が前記上下の支持部材３，３によって支持されているので、この化粧面材８によって電気機器を配置する壁を他の壁と区別できる。
【０００８】
請求項２に記載の発明は、例えば図１、図６および図７に示すように、壁面１に水平方向に延在する複数の支持部材２３が、上下に所定間隔を隔てて固定され、
上下に隣り合う前記支持部材２３，２３間に、内部に水平方向に延在する空洞部２８ａを備えた化粧面材２８が配置されるとともに、この化粧面材２８が前記上下の支持部材２３，２３によって支持され、
前記支持部材２３に、映像や音響に係る電気機器を支持するための機器支持部材１０，１５が係合され、
前記化粧面材２８と壁面１との間には、隙間３１が設けられ、この隙間３１に前記電気機器用の配線ケーブル１７が挿入されていることを特徴とする。
【０００９】
請求項２に記載の発明によれば、請求項１と同様に、機器支持部材１０，１５の係合位置を水平方向において調整でき、さらに、機器支持部材１０，１５の係合位置を上下において調整できるので、電気機器を壁側の所望の位置に容易に設置できる。
また、化粧面材２８によって電気機器を配置する壁を他の壁と区別できる。
さらに、化粧面材２８と壁面１との間には、隙間３１が設けられ、この隙間３１に前記電気機器用の配線ケーブル１７が挿入されているので、配線ケーブル１７も露出することがなく、見映えもよくなる。
また、前記隙間３１に配線ケーブル１７を挿入するので、請求項１の化粧面材８の空洞部８ａに配線ケーブル１７を挿入する場合に比べて、配線ケーブル１７の配線位置が自由であるので、配線の自由度が高まる。
【００１０】
請求項３に記載の発明は、例えば図１および図１０に示すように、壁面１に水平方向に延在する複数の支持部材３が、上下に所定間隔を隔てて固定され、
上下に隣り合う前記支持部材３，３間に、内部に水平方向に延在する空洞部８ａを備えた化粧面材８が配置されるとともに、この化粧面材８が前記上下の支持部材３，３によって支持され、
前記支持部材３に、映像や音響に係る電気機器を支持するための機器支持部材１０，１５が係合され、
前記支持部材３には、水平方向に延在する溝部４ｄが形成されており、この溝部４ｄに前記電気機器用の配線ケーブル１７が挿入されていることを特徴とする。
【００１１】
請求項３に記載の発明によれば、請求項１および２と同様に、機器支持部材１０，１５の係合位置を水平方向において調整でき、さらに、機器支持部材１０，１５の係合位置を上下において調整できるので、電気機器を壁側の所望の位置に容易に設置できる。
また、化粧面材８によって電気機器を配置する壁を他の壁と区別できる。
さらに、支持部材３には、水平方向に延在する溝部４ｄが形成されており、この溝部４ｄに前記電気機器用の配線ケーブル１７が挿入されているので、配線ケーブル１７も露出することがなく、見映えもよくなる。
また、支持部材３の溝部４ｄに配線ケーブル１７が挿入されているので、この配線ケーブル１７を溝部４ｄから容易に取り出すことができ、よって、配線ケーブル４ｄのメンテナンスが容易となる。
【００１２】
請求項４に記載の発明は、例えば図２および図５に示すように、請求項１〜３のいずれか一項に記載の化粧壁構造において、
前記支持部材３の少なくとも一方の端部側には、上下に所定間隔を隔てて固定された支持部材３の端部どうしを連結する縦連結部材２０が設けられ、この縦連結部材２０内に、前記電気機器用の配線ケーブル１７が挿入されていることを特徴とする。
【００１３】
請求項４に記載の発明によれば、支持部材３の端部どうしを連結する縦連結部材２０内に、電気機器用の配線ケーブル１７が挿入されているので、この配線ケーブル１７を化粧面材８の空洞部８ａ、化粧面材２８と壁面１との間の隙間３１、支持部材３の溝部４ｄ等に挿入された配線ケーブル１７に接続することによって、各支持部材３に係合された機器支持部材１０，１５に支持された電気機器どうしを容易に接続して配線できる。
【００１４】
請求項５に記載の発明は、請求項１〜４のいずれか一項に記載の化粧壁構造において、
前記機器支持部材１０は、前記電気機器を載置する載置板１０であり、この載置板１０の基端部が前記支持部材３に係合されていることを特徴とする。
【００１５】
請求項５に記載の発明によれば、載置板１０の基端部が支持部材３に係合されているので、この載置板１０にスピーカ１１、チューナ１４、ビデオデッキ、ＤＶＤデッキ１３等の設置型の電気機器を容易に設置できる。
【００１６】
請求項６に記載の発明は、請求項１〜４のいずれか一項に記載の化粧壁構造において、
前記機器支持部材１５は、前記電気機器を吊り下げるためのフック１５であり、このフック１５の基端部が前記支持部材３に係合されていることを特徴とする。
【００１７】
請求項６に記載の発明によれば、フック１５の基端部が支持部材３に係合されているので、このフック１５に壁掛け式の薄型テレビ１６や薄型モニター等の電気機器を吊下げることによって、該電気機器を容易に設置できる。
【００１８】
請求項７に記載の発明は、例えば図１１〜図１３に示すように、上下に複数配置され、内部に水平方向に延在する空洞部２８ａを備えた化粧面材２８を支持して壁面１に取付ける水平方向に延在する支持部材５３であって、
壁面１に固定される固定部５５と、この固定部５５から前記壁面１と直交する方向に立ち上がり、その先端部または、この先端部と前記固定部５５との間にある中間部５５ｃによって、前記化粧面材２８を支持する立上り部（支持部材本体）５４とを備え、
この立上り部５４には、物品を支持する物品支持部材５７が直接または間接的に係合される被係合部５６が形成されていることを特徴とする。
【００１９】
請求項７に記載の発明によれば、立上り部５４の先端部で化粧面材２８を支持することによって、この化粧面材２８と壁面１との間に、配線用等の隙間３１を形成できる納まりとなり、また、立上り部５４の中間部５４ｃで化粧面材２８を支持することによって、化粧面材２８を壁面１に近付けるかあるいは当接できる納まりとなる。
したがって、同じ支持部材５３で二通りの化粧面材２８の納まりを得ることができ、よって、必要に応じて、化粧面材２８と壁面１との間に、配線用等の隙間３１を形成できる。また、配線用の隙間３１が必要でない場合は、化粧面材２８を壁面１に近付けるかあるいは当接することによって、壁面１からの化粧面材２８の離間距離（隙間）を短くできる。
つまり、必要に応じて、化粧面材２８と壁面１との間に、配線用等の隙間３１を形成したり、配線用の隙間３１が必要でない場合は、化粧面材を壁面に近付けるかあるいは当接して隙間３１を狭くないしは無くすることができる。
【００２０】
請求項８に記載の発明は、例えば図１１に示すように、請求項７に記載の支持部材５３を備えた化粧壁構造であって、
壁面１に前記複数の支持部材５３が、上下に所定間隔を隔てて固定され、
上下に隣り合う前記支持部材５３，５３間に、内部に水平方向に延在する空洞部２８ａを備えた化粧面材２８が配置されるとともに、この化粧面材２８が前記立上り部５４の中間部５４ｃによって支持され、
前記立上り部５４の被係合部５６に、物品を支持する物品支持部材５７が係合されていることを特徴とする。
【００２１】
ここで、物品としては、棚板や、壁面に設けるＡＶ機器、飾り物等が挙げられる。
【００２２】
請求項８に記載の発明によれば、壁面１に固定され、水平方向に延在する支持部材５３の立上り部５４の被係合部５６に、物品支持部材５７が係合されるので、この物品支持部材５７の係合位置を水平方向において調整でき、さらに、支持部材５３は上下に所定間隔で複数壁面１に固定されているので、物品支持部材５７の係合位置を上下において調整できる。したがって、物品支持部材５７を所望の位置に配置できるので、この物品支持部材５７によって物品を支持することによって物品を壁側の所望の位置に容易に設置できる。
また、化粧面材２８が支持部材５３の立上り部５４の中間部５４ｃによって支持されているので、化粧面材２８を壁面１に近付けるかあるいは当接できる納まりとなる。したがって、化粧面材２８と壁面１との間に配線用の隙間３１が必要でない場合に、化粧面材２８を壁面１に近付けるかあるいは当接することによって、壁面１からの化粧面材２８の離間距離を短くできる。
なお、このような場合でも、化粧面材２８の空洞部２８ａに配線を施すことができる。
【００２３】
請求項９に記載の発明は、例えば図１２に示すように、請求項７に記載の支持部材５３を備えた化粧壁構造であって、
壁面１に前記複数の支持部材５３が、上下に所定間隔を隔てて固定され、
上下に隣り合う前記支持部材５３，５３間に、内部に水平方向に延在する空洞部２８ａを備えた化粧面材２８が配置されるとともに、この化粧面材２８が前記立上り部５４の先端部によって支持され、
前記立上り部５４の被係合部５６に、この立上り部５４の先端部とによって前記化粧面材２８を支持する化粧面材支持部材６０が係合されており、この化粧面材支持部材６０に、物品を支持する物品支持部材５７が係合されていることを特徴とする。
【００２４】
請求項９に記載の発明によれば、壁面１に固定され、水平方向に延在する支持部材５３の立上り部５４の被係合部５６に、化粧面材支持部材６０が係合され、この化粧面材支持部材６０に物品支持部材５７が係合されるので、この物品支持部材５７の係合位置を水平方向において調整でき、さらに、支持部材５３は上下に所定間隔で複数壁面１に固定されているので、物品支持部材５７の係合位置を上下において調整できる。したがって、物品支持部材５７を所望の位置に配置できるので、この物品支持部材５７によって物品を支持することによって物品を壁側の所望の位置に容易に設置できる。
また、化粧面材２８が前記立上り部５４の先端部と、化粧面材支持部材６０とによって支持されているので、化粧面材２８と壁面１との間に隙間３１を形成した収まりを得ることができ、よって、この隙間３１に配線１７を施すことができる。
さらに、支持部材５３の立上り部５４の先端部と化粧面材支持部材６０とによってより確実に化粧面材２８を支持できる。
【００２５】
請求項１０に記載の発明は、請求項１〜６、請求項８、９のいずれか一項に記載の化粧壁構造において、
前記化粧面材８，２８，３８は、セルロース系微粉粒と樹脂とを混合して押出成形した板状のものであることを特徴とする。
【００２６】
ここで、前記セルロース系微粉粒とは、例えば、木材の粗粉砕物、バカスの祖粉砕物、稲藁の粗粉砕物等における各種植物細胞体の原料材粗粉砕物を出発原料とし、これを磨砕処理することによって得ることができる。
【００２７】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００２８】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００２９】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。
【００３０】
請求項１０に記載の発明によれば、化粧面材８，２８，３８がセルロース系微粉粒と樹脂とを混合して押出成形したものであるので、化粧面材８，２８，３８に防水性、防腐性や木質感を付与することができる。また、押出成形したものであるので、化粧面材８，２８，３８の内部に押出成形の際に容易に空洞部８ａ，２８ａ，３８ａを形成できる。
【００３１】
【発明の実施の形態】
以下、図面を参照して本発明に係る化粧壁構造の実施の形態について説明する。
（第１の実施の形態）
図１〜図５は化粧壁構造の第１の実施の形態を示すものである。
これらの図において符号１は、壁面を示す。この壁面１は住宅等の建物の内側を向く壁面であり、建物の内側に設けられた内壁の壁面で構成してもよいし、建物の外壁の内側を向く壁面で構成してもよい。
【００３２】
壁面１は具体的には、壁パネルに取り付けられた石膏ボード２の表面で構成されており、この石膏ボード２の表面、つまり壁面１には、水平方向に延在する４本の支持部材３が、上下にほぼ等間隔で固定されている。
支持部材３は、図３に示すように、横断面略Ｃ字状をなす支持部材本体４と、この支持部材本体４の上面に形成された帯板状の固定板部５とを備えており、この固定板部５には、所定間隔（図３では紙面と直交する方向に所定間隔）で複数のビス穴５ａが形成されている。
そして、このような構成の支持部材３は、その支持部材本体４と固定板部５を壁面１に当接したうえで、固定板部５のビス穴５ａにビス６を挿通して、石膏ボード２を貫通し、壁パネルにねじ込むことによって、壁面１に水平に固定されている。
【００３３】
上下に隣り合う支持部材３，３間には、化粧面材８が配置されている。この化粧面材８は、セルロース系微粉粒と樹脂とを混合して押出成形した帯板状のものであり、その内部には複数の空洞部８ａが押出成形の際に形成されている。ここで空洞部８ａとは、化粧面材８の両端部のみに開口するものは勿論のこと、化粧面材８の両端部に開口し、化粧面材８の裏面側が開口しているもの含む。
前記化粧面材８の上面には、段差部８ｂが化粧面材８の長手方向（図３では紙面と直交する方向）に沿って形成されている。
一方、支持部材本体４の下面部には凸条４ｂが支持部材本体４の長手方向に沿って形成されている。そして、化粧面材８の上部は、その上面の段差部８ｂを支持部材本体４の凸条４ｂに内側から係合することによって、支持部材３によって支持されている。
【００３４】
また、化粧面材８の下端部裏面には凹部８ｃが化粧面材８の長手方向に沿って形成されており、化粧面材８の下面には段差部８ｄが化粧面材８の長手方向に沿って形成されている。一方、支持部材本体４の上面部には凸条４ｃが支持部材本体４の長手方向に沿って形成されている。
そして、化粧面材８の下部は、その下面の段差部８ｄを支持部材本体４の凸条４ｃに内側から係合することによって、支持部材３によって支持されている。また、この状態において、化粧面材８の凹部８ｃには前記ビス６の頭が位置しており、この凹部８ｃによってビス６の頭を覆って隠している。
【００３５】
また、支持部材３の支持部材本体４には、機器支持部材１０が係合されている。すなわち、この機器支持部材１０は、映像や音響に係る電気機器を支持するためのものであり、具体的にはチューナ、ＤＶＤビデオデッキ、スピーカ等の電気機器を載置する載置板１０である。
この載置板１０は、樹脂等で形成された長方形板状のものであり、その基端部には、上方に突出する突出片１０ａが形成されている。また、載置板１０の基端面には前記支持部材３の前面に当接する当接面１０ｂが形成されている。
そして、このような構成の載置板１０はその基端部の突出片１０ａを支持部材本体４の前面から内側に挿入して、支持部材本体４の内面に当接させるとともに、載置板１０の当接面１０ｂを支持部材本体４の前面に当接させることによって、支持部材３に係合されている。
【００３６】
支持部材３に係合された載置板１０は、その基端部が支持部材３によって支持されることで、ほぼ水平に保持され、さらに、支持部材３の長手方向にスライドさせることによって、支持部材３の長手方向において所望の位置に配置できるようになっている。
また、上記のような載置板１０は、図１および図２に示すように、最上段の支持部材３に、２つ左右に離間して係合され、２段目の支持部材３に、その左側に１つ係合され、３段目の支持部材３に、その左側に１つ係合され、４段目の支持部材３に、その中央部に１つ係合されている。
【００３７】
そして、最上段の支持部材３に係合された載置板１０，１０には、スピーカ（電気機器）１１，１１がそれぞれ載置され、２段目の支持部材３に係合された載置板１０には、ＣＤ用のラック１２が載置され、３段目の支持部材３に係合された載置板１０には、ＤＶＤビデオデッキ（電気機器）１３が載置され、４段目の支持部材３に係合された載置板１０にはチューナ（電気機器）１４が載置されている。なお、図１においては、２段目と３段目の支持部材３に、その右側にそれぞれ載置板１０が係合されているが、この載置板１０は他の電気機器やその他小物等を載置するための予備のものである。
【００３８】
また、２段目と３段目の支持部材３には、図４に示すように、電気機器を吊り下げるためのフックとしての機器支持部材１５が係合されている。すなわち、このフック（機器支持部材）１５は、壁掛け型のテレビ１６（図１および図２参照）を吊り下げて支持するものであり、フック本体１５ａと、このフック本体１５ａの基端部に形成された係合部１５ｂとによって構成されている。フック本体１５ａは軸状のものでその先端部にはフランジ部１５ｃが形成されている。係合部１５ｂは支持部材本体４の内側に挿入される上片部１５ｄと、支持部材本体４の前面に当接される下片部１５ｅとによって構成されている。
そして、このような構成のフック１５はその係合部１５ｂの上片部１５ｄを支持部材本体４の前面から内側に挿入して、支持部材本体４の内面に当接させるとともに、係合部１５ｂの下片部１５ｅを支持部材本体４の前面に当接させることによって、支持部材３に係合されている。
【００３９】
支持部材３に係合されたフック１５は、その係合部１５ｂが支持部材３によって支持されることで、フック本体１５ａがほぼ水平となるように保持され、さらに、支持部材３の長手方向にスライドさせることによって、支持部材３の長手方向において所望の位置に配置できるようになっている。
また、上記のようなフック１５は、２段目と３段目の支持部材３にそれぞれ２個ずつ係合されている。
そして、各フック１５のフック本体１５ａを、壁掛け型のテレビ１６の背面の４つの隅部にそれぞれ形成された図示しない吊下げ用の穴に挿入することによって、テレビ１６が吊下げられた状態で支持されている。
【００４０】
前記複数の載置板１０にそれぞれ載置されたスピーカ１１、ＤＶＤビデオデッキ１３、チューナ１４、フック１５によって支持された壁掛け型のテレビ１６等のそれぞれの配線ケーブル１７は、図３および図４に示すように、化粧面材８の空洞部８ａに挿入されている。
また、４本の支持部材３の両端部側には、図２に示すように、上下に所定間隔を隔てて固定された支持部材３，３の端部どうしを連結する縦連結部材２０が設けられている。この縦連結部材２０は上下に延在する長尺なものであり、図５に示すように、上下（図５では紙面と直交する方向）に長尺な縦連結部材本体２０ａと蓋部材２０ｂとによって構成されている。縦連結部材本体２０ａは、断面コ字状のものであり、その内部には前記配線ケーブル１７が挿入されている。蓋部材２０ｂは上下（図５では紙面と直交する方向）に長尺な断面コ字状のものであり、縦連結部材本体２０ａの開口部に被せることによってこの開口部を覆うようになっている。
【００４１】
前記スピーカ１１の配線ケーブル１７は、最上段の支持部材３と２段目の支持部材３とで支持された化粧面材８に所定の位置にケーブル挿入用の穴を形成し、この穴から挿入されて化粧面材８の空洞部８ａに挿入され、さらに、縦連結部材２０内に挿入され、さらに、２段目と支持部材３と３段目の支持部材３とで支持された化粧面材８の空洞部８ａに挿入され、この化粧面材８の所定の位置に形成された穴から引き出されてＤＶＤビデオデッキ１３に接続されている。
また、ＤＶＤビデオデッキ１３およびテレビ１６の電源ケーブル（配線ケーブル）１７は、２段目の支持部材３と３段目の支持部材３とで支持された化粧面材８の所定の位置に穴を形成し、この穴から挿入されて化粧面材８の空洞部８ａに挿入され、さらに縦連結部材２０内に挿入され、この縦連結部材２０から引き出されて所定の電源用のコンセントに接続されている。
【００４２】
チューナ１４の電源ケーブル（配線ケーブル）１７は３段目の支持部材３と４段目の支持部材３とで支持された化粧面材８の所定の位置に穴を形成し、この穴から挿入されて化粧面材８の空洞部８ａに挿入され、さらに縦連結部材２０内に挿入され、この縦連結部材２０から引き出されて所定の電源用のコンセントに接続されている。
さらに、チューナ１４とテレビ１６とを接続する同軸ケーブル（配線ケーブル）１７は、３段目の支持部材３と４段目の支持部材３とで支持された化粧面材８に所定の位置に穴を形成し、この穴から挿入されて化粧面材８の空洞部８ａに挿入され、さらに、縦連結部材２０内に挿入され、さらに、２段目と支持部材３と３段目の支持部材３とで支持された化粧面材８の空洞部８ａに挿入され、この化粧面材８の所定の位置に形成された穴から引き出されてテレビ１６に接続されている。
また、チューナ１４に接続される同軸ケーブル（配線ケーブル）１７は３段目の支持部材３と４段目の支持部材３とで支持された化粧面材８の所定の位置に穴を形成し、この穴から挿入されて化粧面材８の空洞部８ａに挿入され、さらに縦連結部材２０内に挿入され、この縦連結部材２０から引き出されて所定の同軸ケーブル用のコンセントに接続されている。
【００４３】
なお、上記のような配線ケーブル１７を配線する場合、支持部材３を壁面１に固定しつつ、化粧面材８を支持部材３，３で支持していきながら、つまり化粧壁を施工していきながら、配線していってもよいし、化粧壁を施工した後に、配線してもよい。
【００４４】
本実施の形態によれば、以下のような効果を得ることができる。
▲１▼水平方向に延在する支持部材３に、載置板（機器支持部材）１０やフック（機器支持部材）１５が係合されるので、この機器支持部材１０，１５の係合位置を水平方向において調整でき、さらに、支持部材３は上下に所定間隔で複数（４本）壁面に固定されているので、機器支持部材１０，１５の係合位置を上下において調整できる。
したがって、機器支持部材１０，１５を所望の位置に配置できるので、この機器支持部材１０，１５によってＤＶＤビデオデッキ１３、スピーカ１１、チューナ１４、壁掛け型のテレビ１６等の電気機器を支持することによってこれら電気機器を壁側の所望の位置に容易に設置できる。
【００４５】
▲２▼化粧面材８の空洞部８ａに電気機器用の配線ケーブル１７が挿入されているので、配線ケーブル１７も露出することがなく、見映えもよくなる。
▲３▼支持部材３の端部どうしを連結する縦連結部材２０内に、電気機器用の配線ケーブル１７が挿入されているので、この配線ケーブル１７を化粧面材８の空洞部８ａに挿入された配線ケーブル１７に接続することによって、各支持部材３に係合された機器支持部材１０，１５に支持された電気機器どうしを容易に接続して配線できる。
▲４▼機器支持部材である載置板１０が支持部材３に係合されているので、この載置板１０にチューナ１４、ＤＶＤデッキ１３等の設置型の電気機器を容易に設置できる。
【００４６】
▲５▼機器支持部材であるフック１５が支持部材３に係合されているので、このフック１５に壁掛け式のテレビ１６を吊下げることによって、該テレビ１６容易に設置できる。
▲６▼化粧面材８がセルロース系微粉粒と樹脂とを混合して押出成形したものであるので、化粧面材８に防水性、防腐性や木質感を付与することができる。また、押出成形したものであるので、化粧面材８の内部に押出成形の際に容易に空洞部８ａを形成できる。
【００４７】
（第２の実施の形態）
図６および図７は化粧壁構造の第２の実施の形態を示すものである。
この第２の実施の形態が、前記第１の実施の形態と異なる点は、化粧面材の断面形状と、化粧面材を支持する支持部材の形状と、配線ケーブルの配線位置であるので、以下ではこれらの点について詳しく説明し、第１実施の形態と同様の部分は同一符号を付してその説明を省略する。
【００４８】
第２の実施の形態では、図７に示すように、水平方向に延在する支持部材２３は、水平方向において３本所定の隙間を空けて配置されている。支持部材２３は図６に示すように、横断面略Ｃ字状をなす支持部材本体２４と、この支持部材本体２４の裏面部に形成された脚部２５とを備えており、この脚部２５には所定間隔（図６では紙面と直交する方向に所定間隔）で複数のビス穴２５ａが形成されている。
そして、このような構成の支持部材２３は、その脚部２５を壁面１に当接したうえで、脚部２５のビス穴２５ａにビス２６を挿通して、石膏ボード２を貫通し、壁パネルにねじ込むことによって、壁面１に水平に固定されている。
【００４９】
上下に隣り合う支持部材２３，２３間には、化粧面材２８が配置されている。この化粧面材２８は、セルロース系微粉粒と樹脂とを混合して押出成形した帯板状のものであり、その内部には複数の断面円状の空洞部２８ａが押出成形の際に形成されている。
前記化粧面材２８の上面を支持する支持部材本体２４の下面部には凸条２４ｂが支持部材本体２４の長手方向に沿って形成されている。そして、化粧面材２８の上部は、その上部裏面を支持部材本体２４の凸条２４ｂに当接するとともに、上部表面を当接部材２９に当接することによって、支持部材２３によって支持されている。当接部材２９は、支持部材本体２４の下片先端部に係合するものであり、この係合した状態において、支持部材本体２４より下方に突出しており、この突出した部分に化粧面材２８の上部表面が当接されている。また、当接部材２９は化粧面材２８の長手方向に延在する長尺なものであり、その長さは化粧面材２８とほぼ等しくなっている。
【００５０】
また、化粧面材２８の下面には凹溝２８ｂが化粧面材２８の長手方向に沿って形成されている。一方、支持部材本体２４の上面には２つの凸条２４ｃ，２４ｄが前後に所定間隔離間して形成されている。
そして、化粧面材２８は、その下面に形成された凹溝２８ｂに支持部材本体２４の凸条２４ｄを係合するとともに、化粧面材２８の下部裏面を凸条２４ｃに当接し、さらに、下部表面を当接部材３０に当接することによって、支持部材２３によって支持されている。当接部材３０は、支持部材本体２４の上片先端部に係合するものであり、この係合した状態において、支持部材本体２４より上方に突出しており、この突出した部分に化粧面材２８の下部表面が当接されている。また、当接部材３０は化粧面材２８の長手方向に延在する長尺なものであり、その長さは化粧面材２８とほぼ等しくなっている。
【００５１】
また、支持部材２３の支持部材本体２４には、第１の実施の形態と同様にして載置板１０やフック１５が係合され、載置板１０にはチューナ１４、ＤＶＤビデオデッキ１３、スピーカ１１等の電気機器が載置され、フック１５には壁掛け型のテレビ１６が吊下げられている。
【００５２】
前記複数の載置板１０にそれぞれ載置されたスピーカ１１、ＤＶＤビデオデッキ１３、チューナ１４、フック１５によって支持された壁掛け型のテレビ１６等のそれぞれの配線ケーブル１７は、図６に示すように、化粧面材２８と壁面１との間に設けられた隙間３１に挿入されている。つまり、電気機器に接続される配線ケーブル１７は化粧面材２８の所定の位置に穴を形成し、この穴から隙間３１に挿入されて、隙間３１で配線され、さらに、隙間３１から化粧面材２８に形成された穴を介して引き出され、電源用や同軸ケーブル用のコンセントに接続されている。
【００５３】
本実施の形態によれば、第１の実施の形態の▲１▼〜▲６▼と同様の効果を得ることができるのは勿論のこと、化粧面材２８と壁面１との間の隙間３１に配線ケーブル１７を挿入するので、第１の実施の形態の化粧面材８の空洞部８ａに配線ケーブルを挿入する場合に比べて、配線ケーブル１７の配線位置が自由であるので、配線の自由度が高まるという利点である。
【００５４】
（第３の実施の形態）
図８および図９は化粧壁構造の第３の実施の形態を示すものである。
この第３の実施の形態が、前記第２の実施の形態と異なる点は、化粧面材と支持部材との支持構造とであるので、この点について詳しく説明し、第２実施の形態と同様の部分は同一符号を付してその説明を省略する。
【００５５】
第３の実施の形態では、図９に示すように、水平方向に延在する支持部材３３は、水平方向において３本所定の隙間を空けて配置されている。支持部材３３は図８に示すように、横断面略Ｃ字状をなす支持部材本体３４と、この支持部材本体３４の裏面部に形成された脚部３５とを備えており、この脚部３５には所定間隔（図８では紙面と直交する方向に所定間隔）で複数のビス穴３５ａが形成されている。そして、このような構成の支持部材３３は、その脚部３５を壁面１に当接したうえで、脚部３５のビス穴３５ａにビス３６を挿通して、石膏ボード２を貫通し、壁パネルにねじ込むことによって、壁面１に水平に固定されている。
【００５６】
上下に隣り合う支持部材２３，２３間には、化粧面材３８が配置されている。この化粧面材３８は、セルロース系微粉粒と樹脂とを混合して押出成形した帯板状のものであり、その内部には複数の断面円状の空洞部３８ａが押出成形の際に形成されている。
前記化粧面材３８の上面には、凹溝３８ａが化粧面材３８の長手方向に沿って形成されている。この凹溝３８には係合部材３９の突条３９ａが挿入固定されている。突条３９ａの外周には鋸状の細かい突起が形成されており、この突起が凹溝３８の内面に食付くことによって、係合部材３９は化粧面材３８の上面に固定されている。
そして、化粧面材３８の上部は、その係合部材３９を支持部材本体３４の下片部に係合することによって、支持部材３３によって支持されている。
【００５７】
また、前記化粧面材３８の下面には、断面Ｌ字状をなし化粧面材３８の長手方向に沿って長尺な係合部材４０が接着等によって固定されている。
そして、化粧面材３８の下部は、その係合部材４０を支持部材本体３４の上片部に係合することによって、支持部材３３によって支持されている。なお、化粧面材３８は上下に隣り合う支持部材３３，３３間において１枚配置されるものであるが、例えば図９に示すように、化粧面材３８を上下の中央部で切断し、それを支持部材３３，３３間に配置するときに接合してもよい。
【００５８】
また、支持部材３３の支持部材本体３４には、支持具４１が係合されている。すなわち、この支持具４１は横断面コ字条をなす支持具本体４１ａと、この支持具本体４１の背面部に形成された係合片４１ｂとから構成されている。そして、係合片４１ｂを支持部材本体３４の前面から挿入し、支持部材本体３４の内面に当接することによって、支持具４１はほぼ水平に支持部材３３に支持されている。支持具４１の支持具本体４１ａは、チューナ１４、ＤＶＤビデオデッキ１３、スピーカ１１等を載置するための載置板４２の基端部を挟持して水平状態に支持するものである。そして、載置板４２にはチューナ１４、ＤＶＤビデオデッキ１３、スピーカ１１等の電気機器が載置され、フック１５には壁掛け型のテレビ１６が吊下げられている。
【００５９】
前記複数の載置板４２にそれぞれ載置されたスピーカ１１、ＤＶＤビデオデッキ１３、チューナ１４、フック１５によって支持された壁掛け型のテレビ１６等のそれぞれの配線ケーブル１７は、図８に示すように、化粧面材３８と壁面１との間に設けられた隙間３１に挿入されている。つまり、電気機器に接続される配線ケーブル１７は化粧面材３８の所定の位置に穴を形成し、この穴から隙間３１に挿入されて、隙間３１で配線され、さらに、隙間３１から化粧面材３８に形成された穴を介して引き出され、電源用や同軸ケーブル用のコンセントに接続されている。
【００６０】
本実施の形態の形態によれば、第２の実施の形態と同様の効果を得ることができる他、化粧面材３８の上下面にそれぞれ、係合部材３９，４０を予め固定しているので、これら係合部材３９，３４を上下の支持部材３３，３３に係合することによって、支持部材３３，３３への化粧面材３８の取付施工が容易となる。
【００６１】
（第４の実施の形態）
図１０は化粧壁構造の第４の実施の形態を示すものである。
この第４の実施の形態が、前記第１の実施の形態と異なる点は、電気機器用の配線ケーブル１７の配線位置であるので、この点について詳しく説明し、第１実施の形態と同様の部分は同一符号を付してその説明を省略する。
すなわち、支持部材３の支持部材本体４は、その内部に水平方向に延在する溝部４ｄを備えており、この溝部４ｄに電気機器用の配線ケーブル１７が複数挿入されている。そして、溝部４ｄに挿入された配線ケーブル１７は結束バンド４３で束ねられている。この結束バンド４３の両端部には鋸状の細かい突起が形成されており、この突起が溝部４ｄの内壁面に係合している。これによって、溝部４ｄに挿入された複数の配線ケーブル１７は束ねられるとともに、溝部４ｄからの逸脱が防止されている。
【００６２】
また、支持部材３の支持部材本体４には、第１の実施の形態と同様にして載置板１０やフック１５が係合され、載置板１０にはチューナ１４、ＤＶＤビデオデッキ１３、スピーカ１１等の電気機器が載置され、フック１５には壁掛け型のテレビ１６が吊下げられている。
【００６３】
前記複数の載置板１０にそれぞれ載置されたスピーカ１１、ＤＶＤビデオデッキ１３、チューナ１４、フック１５によって支持された壁掛け型のテレビ１６等のそれぞれの配線ケーブル１７は、図１０に示すように、支持部材本体４の溝部４ｄに挿入されて配線され、この溝部４ｄから電源用や同軸ケーブル用のコンセントに接続されている。
【００６４】
本実施の形態によれば、第１の実施の形態と同様の効果を得ることができる他、支持部材３の溝部４ｄに配線ケーブル１７が挿入されているので、この配線ケーブル１７を溝部４ｄから容易に取り出すことができ、よって、配線ケーブル１７のメンテナンスが容易となる。
【００６５】
（第５の実施の形態）
図１１は化粧壁構造の第５の実施の形態を示すものである。
この第５の実施の形態が、前記第２の実施の形態と異なる主な点は、支持部材の形状であるので、この点について詳しく説明し、第２実施の形態と同様の部分は同一符号を付してその説明を省略する。
第５の実施の形態では、図１１に示すように、水平方向に延在する支持部材５３は、脚部（固定部）５５と、この脚部５５から壁面１と直交する方向に立ち上がる支持部材本体（立上り部）５４とを備えており、水平方向（図１１では紙面と直交する方向）において所定の隙間を空けて複数配置されている。
脚部５５は壁面１に固定されるものであり、この脚部５５には、所定間隔（図１１では紙面と直交する方向に所定間隔）で複数のビス穴５５ａが形成されている。そして、支持部材５３は、その脚部５５を壁面１に当接したうえで、脚部５５のビス穴５５ａにビス２６を挿通して、石膏ボード２を貫通し、壁パネルにねじ込むことによって、壁面１に水平に固定されている。
【００６６】
支持部材本体５４は、横断面視略Ｈ型をなすものであり、その先端部には上側に突出する上フランジ部５４ａと、下側に突出する下フランジ部５４ｂとが形成されている。また、下フランジ部５４ｂの方が上フランジ部５４ａより突出長さが長くなっている。
【００６７】
前記支持部材本体５４の先端部と、脚部（固定部）５５との間は、化粧面材２８を支持する中間部５４ｃとされている。中間部５４ｃは支持部材本体５４の上側と下側の両方にそれぞれ設けられており、この中間部５４ｃに化粧面材２８の上縁部または下縁部を当接するともに、該化粧面材２８を上フランジ部５４ａまたは下フランジ部５４ｂと、脚部５５とで挟み込むことによって、化粧面材２８が支持されている。
【００６８】
また、支持部材本体５４には、被係合部５６が形成されている。この被係合部５６は、物品を支持する物品支持部材５７が係合されるものであり、水平方向（図１１において紙面と直交する方向）に延在するようにして形成されている。つまり被係合部５６は溝状に形成されており、その開口部上縁部には、下方に突出する突出部５６ａが形成されている。
物品支持部材５７は、支持部材５３に沿って延在する長尺なものであり、横断面コ字状をなす物品支持部材本体５７ａと、この物品支持部材本体５７ａの背面部に形成された横断面略Ｃ字型の係合片５７ｂとから構成されている。
そして、物品支持部材５７は、その係合片５７ｂを前記被係合部５６に、時計回りに回し入れるようにして挿入することによって、突出部５６ａに当接させるようにして係合するとともに、物品支持部材本体５７ａの背面を支持部材５３の下フランジ部５４ｂに当接させることによって、被係合部５６に略水平になるようにして係合されている。
【００６９】
物品支持部材５７の物品支持部材本体５７ａには、載置板（棚板）４２の基端部が挟持されている。この載置板４２は、例えば、花瓶、鉢、その他の装飾品が載置されるものである。また、この載置板４２には、チューナ、（ＤＶＤ）ビデオデッキ、スピーカ等のオーディオ機器や、その他の電気機器を載置してもよい。この場合、これら機器の電気配線は、化粧面材２８の空洞部２８ａに挿通すればよい。
【００７０】
本実施の形態によれば、第２の実施の形態と同様の効果を得ることができる他、化粧面材２８が支持部材５３の支持部材本体（立上り部）５４の中間部５４ｃによって支持されているので、化粧面材２８を壁面１にほぼ当接する（脚部５５の厚さの分だけ若干の隙間がある。）ような納まりとなる。したがって、化粧面材２８と壁面１との間に配線用の隙間が必要でない場合に、壁面１からの化粧面材２８の離間距離を短くできる。
【００７１】
（第６の実施の形態）
図１２は化粧壁構造の第６の実施の形態を示すものである。
この第６の実施の形態が、前記第５の実施の形態と異なる主な点は、壁面１と化粧面材２８との間に配線用の隙間を設けるようにした点であるので、この点について詳しく説明し、第５実施の形態と同様の部分は同一符号を付してその説明を省略する。
第６の実施の形態では、化粧面材２８は支持部材５３の先端部と化粧面材支持部材６０とによって支持されている。
化粧面材支持部材６０は、図１２および図１３に示すように、支持部材５５に沿って長尺なものであり、横断面三角形状をなす化粧面材支持部材本体６０ａと、この化粧面材支持部材本体６０ａの背面部に形成された横断面略Ｃ字型の係合片６０ｂとから構成されている。
【００７２】
そして、化粧面材支持部材６０は、その係合片６０ｂを前記被係合部５６に、挿入することによって、突出部５６ａに当接させるようにして係合するとともに、化粧面材支持部材本体６０ａの背面を支持部材５３の下フランジ部５４ｂに当接させることによって、被係合部５６に略水平になるようにして係合されている。
【００７３】
また、化粧面材支持部材本体６０ａの先端部には、上側に突出する上フランジ部６０ｂと、下側に突出する下フランジ部６０ｃとが形成されている。また、下フランジ部６０ｃｂの方が上フランジ部６０ｂより突出長さが長くなっている。
そして、化粧面材２８はその下縁部が、化粧面材支持部材６０の上面に当接されるとともに、支持部材５３の先端部の上フランジ部５４ａと化粧面材支持部材６０の上フランジ部６０ｂとによって挟持されることで支持されており、上縁部が化粧面材支持部材６０の下面に当接されるとともに、支持部材５３の先端部の下フランジ部５４ｂと化粧面材支持部材６０の下フランジ部６０ｃとによって挟持されることで支持されている。
このように、化粧面材２８が支持部材５３の先端部と化粧面材支持部材６０とで支持されることによって、化粧面材２８と壁面１との間には配線用の隙間３１が設けられている。
【００７４】
また、化粧面材支持部材本体６０ａには、被係合部６２が形成されている。この被係合部６２は、物品を支持する物品支持部材５７が係合されるものであり、水平方向（図１２において紙面と直交する方向）に延在するようにして形成されている。つまり被係合部６２は溝状に形成されており、その開口部上縁部には、下方に突出する突出部６２ａが形成されている。
【００７５】
そして、物品支持部材５７は、その係合片５７ｂを前記被係合部６２に、時計回りに回し入れるようにして挿入することによって、突出部６２ａに当接させるようにして係合するとともに、物品支持部材本体５７ａの背面を化粧面材支持部材６０の下フランジ部６０ｂに当接させることによって、被係合部６２に略水平になるようにして係合されている。
物品支持部材５７の物品支持部材本体５７ａには、載置板（棚板）４２の基端部が挟持されている。この載置板４２は、例えば、チューナ、（ＤＶＤ）ビデオデッキ、スピーカ等のオーディオ機器や、その他の電気機器が載置されるものである。
【００７６】
そして、載置板４２に載置された電気機器等の配線ケーブル１７は、化粧面材２８と壁面１との間に設けられた隙間３１に挿入されている。つまり、電気機器に接続される配線ケーブル１７は化粧面材２８の所定の位置に穴を形成し、この穴から隙間３１に挿入されて、隙間３１で配線され、さらに、隙間３１から化粧面材２８に形成された穴を介して引き出され、電源用や同軸ケーブル用のコンセントに接続されている。
【００７７】
本実施の形態によれば、第５の実施の形態と同様の効果を得ることができる他、化粧面材２８が前記支持部材本体（立上り部）５４の先端部と、化粧面材支持部材６０とによって支持されているので、化粧面材２８と壁面１との間に隙間３１を形成した収まりを得ることができ、よって、この隙間３１に電気機器用の配線１７を施すことができる。したがって、これら配線１７が外側に露出することがなく、スッキリとした化粧壁構造となる。
また、支持部材５３の支持部材本体５４の先端部と化粧面材支持部材６０とによってより確実に化粧面材２８を支持できる。
【００７８】
また、第５および第６の実施の形態の化粧壁構造における支持部材５３は、図１２に示すように、支持部材本体（立上り部）５４の先端部と化粧面材支持部材６０で化粧面材を支持することによって、この化粧面材２８と壁面１との間に、配線用等の隙間３１を形成できる納まりを得ることができる。
また、図１１に示すように、支持部材本体（立上り部）５４の中間部５４ｃで化粧面材２８を支持することによって、化粧面材２８を壁面１に近付けるかあるいは当接できる納まりを得ることができる。
このように、化粧面材支持部材６０を追加するだけで、同じ支持部材５３で二通りの化粧面材２８の納まりを得ることができる。したがって、必要に応じて、化粧面材２８と壁面１との間に、配線用等の隙間３１を形成したり、配線用の隙間３１が必要でない場合は、化粧面材を壁面に近付けるかあるいは当接して隙間を狭くないしは無くすることができる。
【００７９】
【発明の効果】
以上説明したように、請求項１に記載の発明によれば、機器支持部材の係合位置を水平方向において調整できるとともに上下において調整できる。したがって、機器支持部材を所望の位置に配置できるので、この機器支持部材によって電気機器を支持することによって電気機器を壁側の所望の位置に容易に設置できる。
また、化粧面材の空洞部に配線ケーブルが挿入されているので、配線ケーブルも露出することがなく、見映えもよくなる。
さらに、化粧面材が前記上下の支持部材によって支持されているので、この化粧面材によって電気機器を配置する壁を他の壁と区別できる。
【００８０】
請求項２に記載の発明によれば、請求項１と同様に、電気機器を壁側の所望の位置に容易に設置できる。
また、この化粧面材によって電気機器を配置する壁を他の壁と区別できる。
さらに、化粧面材と壁面との間の隙間に配線ケーブルが挿入されているので、配線ケーブルも露出することがなく、見映えもよくなる。
また、前記隙間に配線ケーブルを挿入するので、請求項１の化粧面材の空洞部に配線ケーブルを挿入する場合に比べて、配線ケーブルの配線位置が自由であるので、配線の自由度が高まる。
【００８１】
請求項３に記載の発明によれば、請求項１および２と同様に、電気機器を壁側の所望の位置に容易に設置できる。
また、この化粧面材によって電気機器を配置する壁を他の壁と区別できる。
さらに、支持部材に形成された溝部に前記電気機器用の配線ケーブルが挿入されているので、配線ケーブルも露出することがなく、見映えもよくなる。
また、配線ケーブルを溝部から容易に取り出すことができるので、配線ケーブルのメンテナンスが容易となる。
【００８２】
請求項４に記載の発明によれば、支持部材の端部どうしを連結する縦連結部材内に、電気機器用の配線ケーブルが挿入されているので、各支持部材に係合された機器支持部材に支持された電気機器どうしを容易に接続して配線できる。
【００８３】
請求項５に記載の発明によれば、チューナ、ビデオデッキ、ＤＶＤデッキ等の設置型の電気機器を容易に設置できる。
【００８４】
請求項６に記載の発明によれば、フックに壁掛け式の薄型テレビや薄型モニター等の電気機器を吊下げることによって、該電気機器を容易に設置できる。
【００８５】
請求項７に記載の発明によれば、立上り部の先端部で化粧面材を支持することによって、この化粧面材と壁面との間に、配線用等の隙間を形成できる納まりとなり、また、立上り部の中間部で化粧面材を支持することによって、化粧面材を壁面に近付けるかあるいは当接できる納まりとなる。このように、一つの支持部材によって化粧面材の二通りの納まりを得ることができるので、必要に応じて、化粧面材と壁面との間に、配線用等の隙間を形成したり、配線用の隙間が必要でない場合は、化粧面材を壁面に近付けるかあるいは当接して隙間を狭くないしは無くすることができる。
【００８６】
請求項８に記載の発明によれば、物品支持部材の係合位置を水平方向において調整でき、さらに、支持部材は上下に所定間隔で複数壁面１に固定されているので、物品支持部材の係合位置を上下において調整できる。したがって、物品支持部材を所望の位置に配置できるので、この物品支持部材によって物品を支持することによって物品を壁側の所望の位置に容易に設置できる。
また、化粧面材が支持部材の立上り部の中間部によって支持されているので、化粧面材と壁面との間に配線用の隙間が必要でない場合に、化粧面材を壁面に近付けるかあるいは当接することによって、隙間を狭くないしは無くすることができる。
【００８７】
請求項９に記載の発明によれば、物品支持部材の係合位置を水平方向において調整でき、さらに、支持部材は上下に所定間隔で複数壁面１に固定されているので、物品支持部材の係合位置を上下において調整できる。したがって、物品支持部材を所望の位置に配置できるので、この物品支持部材によって物品を支持することによって物品を壁側の所望の位置に容易に設置できる。
また、化粧面材が立上り部の先端部と、化粧面材支持部材とによって支持されているので、化粧面材と壁面との間に隙間を形成した収まりを得ることができ、よって、この隙間に配線を施すことができる。
さらに、支持部材の立上り部の先端部と化粧面材支持部材とによってより確実に化粧面材を支持できる。
【００８８】
請求項１０に記載の発明によれば、化粧面材に防水性、防腐性や木質感を付与することができる。また、押出成形したものであるので、化粧面材の内部に押出成形の際に容易に空洞部を形成できる。
【図面の簡単な説明】
【図１】本発明の化粧壁構造の第１の実施の形態を示すもので、その斜視図である。
【図２】同、正面図である。
【図３】同、支持部材で載置板を支持した状態を示す側断面である。
【図４】同、支持部材でフックを支持した状態を示す側断面である。
【図５】同、縦連結部材を示す平断面図である。
【図６】本発明の化粧壁構造の第２の実施の形態を示すもので、その要部の側断面図である。
【図７】同、支持部材を示す斜視図である。
【図８】本発明の化粧壁構造の第３の実施の形態を示すもので、その要部の側断面図である。
【図９】同、支持部材と化粧面材を示す斜視図である。
【図１０】本発明の化粧壁構造の第４の実施の形態を示すもので、その要部の側断面図である。
【図１１】本発明の化粧壁構造の第５の実施の形態を示すもので、その要部の側断面図である。
【図１２】本発明の化粧壁構造の第６の実施の形態を示すもので、その要部の側断面図である。
【図１３】図１２における支持部材と化粧面材支持部材の斜視図である。
【符号の説明】
１  壁面
３，２３，３３，５３  支持部材
４ｄ  溝部
８，２８，３８  化粧面材
８ａ  空洞部
１０  載置板（機器支持部材）
１１  スピーカ（電気機器）
１３  ＤＶＤデッキ（電気機器）
１４  チューナ（電気機器）
１５  フック（機器支持部材）
１６  壁掛け型のテレビ（電気機器）
１７  配線ケーブル
２０  縦連結部材
３１  隙間
５４  支持部材本体（立上り部）
５５  脚部（固定部）
５４ｃ  中間部
５６  被係合部
５７  物品支持部材
６０  化粧面材支持部材
【図１】
2004211526.tif 000003
【図２】
2004211526.tif 000004
【図３】
2004211526.tif 000005
【図４】
2004211526.tif 000006
【図５】
2004211526.tif 000007
【図６】
2004211526.tif 000008
【図７】
2004211526.tif 000009
【図８】
2004211526.tif 000010
【図９】
2004211526.tif 000011
【図１０】
2004211526.tif 000012
【図１１】
2004211526.tif 000013
【図１２】
2004211526.tif 000014
【図１３】
2004211526.tif 000015